(57)【要約】【課  題】近年、医療用酸素濃縮器が在宅医療用機器として一般家庭に普及すると共に、従来の吸気部用フィルタを汚れたままで洗浄せずに使用し続けたり、洗浄が不十分であったりした場合に、目詰まりを生じ、酸素濃縮器本体の故障に至る場合が頻発している。【解決手段】本発明では本発明の医療用酸素濃縮器吸気用除じんフィルタのろ過材である平織りした合成樹脂網をジグザグにプリーツ加工することで、ろ過体の通気断面積を変えずにろ過材の使用面積を大幅に増加させ、粉じん保持量を大幅に増大し、長期間目詰まりしない構造とした。【選択図】  図１
2004188133.tif 000002
【特許請求の範囲】
【請求項１】
ポリプロピレン樹脂、ポリエステル樹脂、塩化ビニル樹脂、ナイロン樹脂、塩化ビニリデン樹脂のいずれかの材質の線径１００〜２５０μｍの合成繊維モノフィラメントを使用した、目開き５０〜９０メッシュ、オープニング１５５〜３０８μｍの平織りした合成樹脂網より成るろ過材をジグザグに、折り幅８〜５０ｍｍにプリーツ加工して成るろ過体を合成樹脂又は硬質紙により形成された枠体に収納し、ろ過材と枠体の接面をシール材又は接着剤で固着して成るろ過材のプリーツ間隔が３〜３１ｍｍの医療用酸素濃縮器吸気部用除じんフィルタ
【発明の詳細な説明】
【０００１】
【発明が属する技術分野】
本発明は医療分野において慢性呼吸不全例、肺高血圧症などに対する酸素療法に使用する図６に例示した医療用酸素濃縮器の医療用酸素濃縮器吸気部除じんフィルタに関する。
【０００２】
【従来の技術】
従来の医療用酸素濃縮器吸気部用除じんフィルタ（以後、従来の吸気部用フィルタと言う。）は図４に示すように合成樹脂網の表面が凹凸になるように織り加工した厚さｔ１が１〜３ｍｍのハニカムメッシュと称される合成樹脂網より成るろ過材をそのまま平板状ろ過体（以後、パネル型ろ過体と言う。）１４とし、厚さｔ２が１０ｍｍ程度の合成樹脂枠体内に収納して接着し、平板状に形成した図３に示すようなパネル型のフィルタ３が使用されている。
【０００３】
このようなパネル型のフィルタは構造が単純で、汚れたら水で洗浄することで繰り返し使用することができるが、パネル型ろ過体は空気処理の有効面積が小さいのが欠点であり、長期間使用する場合は度々洗浄しなければならない。
【０００４】
また、パネル型ろ過体を形成するハニカムメッシュは合成繊維モノフィラメントをハチス織りにすることで厚さ方向に１〜３ｍｍの凹凸構造を持たせた合成樹脂網で、繊維状じん埃を効率よく捕集できるが、凹凸部に絡まった繊維状じん埃は洗浄しても容易に離脱し難い場合がある。
【０００５】
【特許文献１】
特開２００２−１２６０８４  医療用酸素濃縮機
【特許文献２】
特開２００１−３５３２２４  医療用酸素濃縮機
【特許文献３】
特開２００１−２５９０３９  熱式質量流量コントローラを装備した医療用酸素濃縮機
【特許文献４】
特開平９−１０３４９０  酸素濃縮機モニターシステム
【非特許文献１】
ライフサイエンス出版（株）
セラピューテック・リサーチ１９８９年１０巻２号  今日の在宅酸素療法７頁
【非特許文献２】
ライフサイエンス出版（株）
セラピューテック・リサーチ１９９０年１１巻３号別冊  第１回在宅呼吸管理看護研修会      ２１〜２７頁
【非特許文献３】
照林社  自分でできる呼吸リハビリテーション  ＩＳＢＮ４−７９６５−２０１３−９３６〜４４頁
【０００６】
【発明が解決しようとする課題】
近年、医療用酸素濃縮器が在宅医療用機器として一般家庭に普及すると共に、従来の吸気部用フィルタを汚れたままで洗浄せずに使用し続けたり、洗浄が不十分であったりした場合に、目詰まりを生じ、酸素濃縮器本体の故障に至る場合が頻発している。
【０００７】
【課題を解決するための手段】
本発明では本発明の医療用酸素濃縮器吸気用除じんフィルタ（以後、本発明の吸気部用フィルタと言う。）のろ過材である平織りした合成樹脂網をジグザグにプリーツ加工することで、ろ過体の通気断面積を変えずにろ過材の使用面積を大幅に増加させ、粉じん保持量を大幅に増大し、長期間目詰まりしない構造とした。
【０００８】
本発明では、本発明の吸気部用フィルタのろ過材である合成樹脂網の構造を単純な平織網構造としたことで、洗浄時に繊維状じん埃が容易に離脱できるようにした。
【０００９】
【発明の実施の形態】
以下、添付図面を参照しながら、本発明の吸気部用フィルタの好ましい実施の形態について説明する。  図１は本発明の実施の形態にかかる本発明の吸気部用フィルタの概略的な分解組み立て図を示す。図示のように、処理空気の流通方向（図中、矢印１２で示す方向）に開口するように、枠板１０ａ、１０ｂ、１０ｃ、１０ｄの接部に接着剤で固着し組み立てて、形成した箱形枠体中に、ろ過材をプリーツ加工して形成されたろ過体（以後、プリーツ型ろ過体と言う。）１１が収納され、枠体とプリーツ型ろ過体１１の接部が接着剤で固着されている。
【００１０】
図２はプリーツ型ろ過体１１の部分拡大図を示す。図示のように、プリーツ型ろ過体はプリーツ加工のプリーツ折り幅ｈ１とプリーツ間隔ｈ２の値を任意に決定することで、使用するろ過材量を適宜に選定することができる構造である。
【００１１】
即ち、本発明の吸気部用フィルタはろ過材をプリーツ加工したプリーツ型ろ過体を形成することで、吸気断面積を変えずに、吸気断面積より大きいろ過材量を枠体１０の中に収納できる。
【００１２】
因みに、図３は従来の吸気部用フィルタの組み立て図を示す。図示のように、ろ過材がパネル型ろ過体１４として枠体１３の中に収納され、枠体１３とろ過体１４が接着剤または融着により固着されている。
即ち、従来の吸気部用フィルタは吸気断面積に等しいろ過材量しか枠体１３の中に収納できない。
【００１３】
本発明の吸気部用フィルタはプリーツ折り幅が８〜５０ｍｍで、好ましくは１０〜３０ｍｍである。プリーツ折り幅が８ｍｍ未満ではプリーツ加工が難しい上に、風圧による変形が生じやすくなる。またプリーツ折り幅が５０ｍｍを越える場合ではフィルタの奥行き寸法が大きくなり、設置スペースの確保が難しいこと、通気抵抗を増加させる場合があること等を生ずる。
【００１４】
本発明の吸気部用フィルタはプリーツ間隔が３〜３１ｍｍで好ましくは４〜１５ｍｍである。プリーツ間隔が３ｍｍ未満の場合、繊維状じん埃等がプリーツ頭頂部とそれに隣接するプリーツ頭頂部の間に吊り橋状に捕捉されてろ過体の気流流入部を塞いでしまい、有効ろ過面積を著しく小さくすることが生じる。また、プリーツ間隔が３１ｍｍを越える場合プリーツ折り幅が５０ｍｍ以下の条件を勘案すればろ過材面積が吸気断面積の約３倍以下になることからプリーツ加工によるろ過材面積増加のメリットがあまりない。
【００１５】
本発明の吸気部用フィルタはろ過材がポリプロピレン樹脂、ポリエステル樹脂、塩化ビニル樹脂、ナイロン樹脂、塩化ビニリデン樹脂、のいずれかの材質の線径１００〜２５０μｍの合成樹脂繊維のモノフィラメントを平織した合成樹脂網である。材質の線径が１００μｍ未満では形成した合成樹脂網が柔軟で、プリーツ加工した場合のプリーツ形状が安定しない。また、線径が２５０μｍを越える場合、プリーツ加工が難しくなる。
【００１６】
本発明の吸気部用フィルタはろ過材が合成樹脂繊維モノフィラメントより成る合成樹脂網であるが、合成樹脂マルチフィラメントを使用した合成樹脂網の場合は、汚れがマルチフィラメントのフィラメントとフィラメントの間に入り込んで、洗浄しても落ちにくいので、この場合、使用に適さない。
【００１７】
本発明の吸気部用フィルタはろ過材が合成樹脂繊維モノフィラメントを平織した合成樹脂網である。合成樹脂網は平織構造の他、綾織構造及び、ハチス織の物もあるが、プリーツ加工性、洗浄時の汚れの落ちやすさで、平織構造が最も適している。
【００１８】
【実施例１】
ポリプロピレン樹脂製７０メッシュオープニング２８９μｍのメッシュをプリーツ折り幅１８ｍｍにプリーツ加工し形成したろ過材を、硬質紙（ＫＴボード＃８０）で縦８２ｍｍ，横１０２ｍｍ，奥行２０ｍｍ（通気断面積８０ｃｍ２）の箱形の枠体を形成した内側にプリーツ間隔が約５ｍｍになるように収納し、ろ過材と枠体内壁面の接面をウレタン系シール材で固着して図３に示す構造の吸気部用フィルタを形成した。この吸気部用フィルタを図５の試験装置に装着し風量６００Ｌ／ｍｉｎを通風しながら、吸気部用フィルタ上流部に繊維状粉じんであるコットンリントを供給し、圧力損失が初期より５ｍｍＨ２Ｏ上昇するまでの粉じん保持量を測定した。結果を後記表１に示す。
【００１９】
（比較例１）
ハニカムメッシュをろ過材として縦８２ｍｍ，横１０２ｍｍ，奥行５ｍｍ（通気断面積８０ｃｍ２）の図３に示す構造の従来の吸気部用フィルタを形成した。このフィルタを図５の試験装置の供試フィルタ部に装着し、実施例１と同様にして粉じん保持量を測定した。結果を後記表１に示す。
【００２０】
【表１】
2004188133.tif 000003
【００２１】
【発明の効果】
本超寿命で洗浄再生が容易な本発明の吸気部用除じんフィルタを提供することで、医療用酸素濃縮器吸気部用除じんフィルタの目詰まりによる  医療用酸素濃縮器の故障を防止することができる。
【図面の簡単な説明】
【図１】本発明の吸気部用フィルタの概略的な分解組み立て図である。
【図２】本発明の吸気部用フィルタの平織りした合成樹脂網をプリーツ加工してなるろ過体１１のプリーツ折幅ｈ１、及びプリーツ間隔ｈ２を説明する部分拡大図である。
【図３】従来の吸気部用フィルタ（例）の組立図で平板状の外形であることを示す。
【図４】従来の吸気部用フィルタ（例）の図３に  おけるＡ−Ａ’断面図でろ過体に凹凸があること、及び、合成樹脂網１４を織り加工した厚さｔ１及び、合成樹脂枠体１３の厚さｔ２を示す。
【図５】実施例１  及び比較例１で使用した粉じん保持量を測定した試験装置の概念図である。
【図６】在宅医療用酸素濃縮機（例）である。
【符号の説明】
１  本発明の吸気部フィルタ（プリーツ型のフィルタ）
２  プリーツ型ろ過体
３  従来の吸気部フィルタ（パネル型のフィルタ）
４  パネル型ろ過体
５  粉じん保持量測定試験装置
６  在宅医療用酸素濃縮機
【図１】
2004188133.tif 000004
【図２】
2004188133.tif 000005
【図３】
2004188133.tif 000006
【図４】
2004188133.tif 000007
【図５】
2004188133.tif 000008
【図６】
2004188133.tif 000009